(57)【要約】【課題】引出し及びスライドレールに結合するのに場所をとらず、使用寿命が長い引出しスライドレール固定装置を提供する。【解決手段】基座１、押圧部品２及び第一弾性部品３を有する。そのうち、押圧部品２は基座１に嵌入してスライドする。更に押圧部品２は抜脱塊２１を具え、押圧部品２の内部に第一弾性部品３を設置する。押圧部品２を押すと、抜脱塊２１の局部が基座１の外に差込まれ、押圧部品２を離し、押圧部品２が復位する。基座１には固定翼１１を設置し、固定翼１１で引出しを固定する。更に引出しを設置したいスライドレールの端部には掛合部品を設置し、引出しは基座１でスピーディに掛合部品に掛合し、押圧部品２を押すことによって、掛合部品の掛合を解除する。【選択図】図１
0003134506.tif 000002
【実用新案登録請求の範囲】
【請求項１】
前側に固定翼を設置し、前記固定翼に連接部が連接し、連接部に穿孔を貫設する基座と、
基座の連接部に嵌合し、押圧部品は連接部に連接してスライドし、且つ押圧部品は抜脱塊を備え、抜脱塊は連接部の穿孔に対応する押圧部品と、
連接部と押圧部品との間に納置する第一弾性部品と、
を有することを特徴とする引出しスライドレール固定装置。
【請求項２】
更にスライドレールを有し、前記スライドレールの一端には水平穿孔と掛合部品とを備え、掛合部品には停止端と連接端とを備え、停止端は水平穿孔に差し込まれてスライドレール外に突出し、連接端はスライドレール内部に伸び、連接端は第二弾性部品に連接することを特徴とする請求項１に記載の引出しスライドレール固定装置。
【請求項３】
前記第二弾性部品は、圧縮バネとすることを特徴とする請求項２に記載の引出しスライドレール固定装置。
【請求項４】
前記第二弾性部品は、バネ片とすることを特徴とする請求項２に記載の引出しスライドレール固定装置。
【請求項５】
前記スライドレールは、その一端内部にカバー台を設置し、カバー台は回転ノブと突出カバーとを連接し、スライドレール上には垂直穿孔を備え、突出カバーは回転ノブによって動き、垂直穿孔に相対して伸縮することを特徴とする請求項２に記載の引出しスライドレール固定装置。
【請求項６】
前記カバー台は、相対して組み合わさる第一筐体と第二筐体とを備え、
突出カバーは内ネジ紋を備え、
回転ノブはネジ桿と環溝とを備え、
且つ第一筐体及び第二筐体の接面には各々第一納置部、第二納置部、第一環状頚部及び第二環状頚部を設置し、
第一納置部と第二納置部とが突出カバーを納置し、回転ノブはネジ桿を突出カバーの内ネジ紋に螺設し、突出カバー及び第一納置部、もしくは突出カバー及び第二納置部には相対して欠切口及び細長い凸状物を設置し、更に回転ノブの環溝に第一環状頚部及び第二環状頚部を嵌合することを特徴とする請求項５に記載の引出しスライドレール固定装置。
【請求項７】
前記スライドレールは、その一端にカバー台と回転ノブとを設置し、
カバー台にはネジ孔を設置し、
回転ノブはネジ桿を備え、
スライドレールは垂直穿孔を備え、
またカバー台はスライドレール内部に嵌入し、回転ノブのネジ桿をカバー台のネジ孔に差し込んで設置し、更にスライドレールの垂直穿孔に差し込むことを特徴とする請求項２に記載の引出しスライドレール固定装置。
【請求項８】
前側に固定翼を設置し、固定翼に連接部が連接し、連接部には穿孔が貫設される基座と、
基座の連接部に嵌合し、押圧部品は連接部に連接してスライドし、且つ押圧部品は抜脱塊を備え、抜脱塊は連接部の穿孔に対応する押圧部品と、
連接部と押圧部品との間に納置する第一弾性部品と、
一端に水平穿孔と垂直穿孔とを備えるスライドレールと、
スライドレールの一端に嵌入し、カバー台には相対して組み合わさる第一筐体と第二筐体とを備え、第一筐体及び第二筐体の相接面には各々第一納置部、第二納置部、第一環状頚部及び第二環状頚部を設置し、第一納置部と第二納置部とのどちらかに軸向きの細長い凸状物を設置し、第一筐体及び第二筐体にはスライドレールの水平穿孔に対応する箇所に第一納置孔と第二納置孔とを設置するカバー台と、
カバー台の第一納置部と第二納置部とに差込み、スライドレールの垂直穿孔に対応し、突出カバー内部には内ネジ紋を備え、且つ突出カバー外部にはカバー台の細長い凸状物に対応する箇所に欠切口を設置する突出カバーと、
ネジ桿と環溝とを備え、回転ノブのネジ桿を突出カバーの内ネジ紋に螺設し、且つ回転ノブの環溝をカバー台の第一環状頚部及び第二環状頚部に嵌合する回転ノブと、
カバー台の第一納置孔と第二納置孔とに設置し、掛合部品は停止端と連接端とを備え、停止端はスライドレールの水平穿孔に差込み、スライドレール外に伸び、連接端は第二弾性部品に相接する掛合部品と、
を有することを特徴とする引出しスライドレール固定装置。
【考案の詳細な説明】
【技術分野】
【０００１】
本考案は、一種の引出しスライドレール固定装置で、特に一種の引出しとスライドレールをスピーディに組立、取外しする固定装置である。
【背景技術】
【０００２】
公知の引出しと底設置式引出しスライドレール(Undermount Drawer Slide)の設置結合は、初期は職人がネジ釘等固定部品で直接加組み立てていたが、最近ではこの種の引出しとスライドレールにおいて、スピーディな組立と取り外しが運用されている。
この種の快速組立及び取外し装置は特許文献１から特許文献１１に開示されている。これらの案件においては、引出しの高度微調整のものも見られる。
また上述の公知の技術である多数の固定装置部品は一体成型のプラスチック材で、相互に連接するハンドル及び掛合部等構造を備え、プラスチックの弾性で、掛合部をスライドレールに掛合し、ハンドルに力を加え、掛合部を離すことによって、固定状態を解除する。
【０００３】
【特許文献１】台湾特許公告第Ｉ２４９３８９号
【特許文献２】米国特許公告第５２６１７３７号
【特許文献３】米国特許公告第５４３９２８３号
【特許文献４】米国特許公告第５５８０１３９号
【特許文献５】米国特許公告第５６３２５４１号
【特許文献６】米国特許公告第６４５４３７１号
【特許文献７】米国特許公告第６９１３３３４号
【特許文献８】米国特許公告第６９４５６１８号
【特許文献９】米国特許公開案第２００４／００９５０４７号
【特許文献１０】米国特許公開案第２００４／０２２７４４０号
【特許文献１１】米国特許公開案第２００５／０２３１０８３号
【考案の開示】
【考案が解決しようとする課題】
【０００４】
解決しようとする問題点は、一見してわかるように、これらの製品は体積が大きく、更にプラスチック体の撓みで掛合部を掛合するため、使用時間が長くなるか、もしくは過度に板が押圧されると、掛合力を失ってしまう点である。
【課題を解決するための手段】
【０００５】
本考案は、基座、押圧部品及び第一弾性部品を有する。そのうち、押圧部品は基座に嵌入してスライドする。更に押圧部品は抜脱塊を備え、押圧部品内部に第一弾性部品を設置する。押圧部品を押すと、抜脱塊の局部が基座外に差込まれ、押圧部品を離し、押圧部品が復位する。基座には固定翼を設置し、固定翼で引出しを固定する。更に引出しを設置したいスライドレール端部には掛合部品を設置し、引出しは基座でスピーディに掛合部品に掛合し、押圧部品を押すことによって、掛合部品の掛合を解除することを最も主要な特徴とする。
【０００６】
（考案の効果）
本考案の引出しスライドレール固定装置は下述の利点がある。
ａ．装置全体の体積が小さく、引出し及びスライドレールに結合するのに場所をとらない。
ｂ．装置の押圧部品は力を入れずに使用できるだけでなく、押圧部品は掛合部品の相対弾力効果を合わせることにより、使用寿命が延びる。
【考案を実施するための最良の形態】
【０００７】
本考案の実施例は一種の引出しスライドレール固定装置を提供し、公知の引出しのスライドレール固定装置の全体の体積が大きく、使用が長くなるか、もしくは過度に力を入れると、掛合機能を失ってしまう問題を解決することを目的とする。
本考案の実施例の引出しスライドレール固定装置は、基座、押圧部品及び第一弾性部品を有する。そのうち基座の前側に固定翼を設置し、その固定翼は連接部に連接し、その連接部には穿孔を貫設する。また押圧部品は基座の連接部に嵌入し、押圧部品は連接部に相対してスライドする。更に押圧部品は抜脱塊を有し、連接部の穿孔に相対する。第一弾性部品は連接部と押圧部品との間に納置する。
【０００８】
上述の引出しスライドレール固定装置は更にスライドレールを有し、スライドレールの一端には水平穿孔と掛合部品とを備える。掛合部品は停止端と連接端とを有し、停止端は常態時、水平穿孔に差し込んでスライドレールの外に伸び、連接端はスライドレール内部に入り、連接端は第二弾性部品に連接する。
そのうち、第二弾性部品は圧縮バネとする。
そのうち、第二弾性部品はバネ片とする。
【０００９】
スライドレールの一端内部はカバー台を設置し、カバー台は回転ノブと突出カバーとに連接し、スライドレール上は垂直穿孔を備え、突出カバー回転ノブによって動き、垂直穿孔に相対して伸縮する。
カバー台は相対して組み合わさる第一筐体及び第二筐体を備え、突出カバーは内ネジ紋を備え、回転ノブはネジ桿と環溝とを備え、更に第一筐体及び第二筐体の相接面にはそれぞれ第一納置部、第二納置部、第一環状頚部及び第二環状頚部を設置する。第一納置部及び第二納置部には突出カバーを納置し、回転ノブはネジ桿で突出カバーの内ネジ紋に螺設する。突出カバー及び第一納置部、もしくは突出カバー及び第二納置部には相対して欠切口及び細長い凸状物を設置し、且つ回転ノブは環溝で第一環状頚部及び第二環状頚部に嵌合する。
【００１０】
カバー台の第一筐体及び第二筐体はスライドレールに対応する水平穿孔に第一納置孔及び第二納置孔を設置して掛合部品を第一納置孔及び第二納置孔に設置し、掛合部品の停止端をスライドレールの水平穿孔に差し込んでスライドレール外に出す。
スライドレールの一端にはカバー台及び回転ノブを設置し、カバー台にはネジ孔を設置し、回転ノブはネジ桿を備える。スライドレールは垂直穿孔を備え、またカバー台はスライドレール内部に嵌合し、回転ノブはネジ桿をカバー台のネジ孔に差し込み、スライドレールの垂直穿孔に差し込む。
【００１１】
（実施例１）
図１及び図２は本考案の第一実施例で、基座１、押圧部品２、第一弾性部品３、スライドレール４、掛合部品５及び第二弾性部品６を有する。
基座１の前側には固定翼１１を設置し、その固定翼１１に連接部１２を連通する。また固定翼１１の上には固定孔１１１が貫設され、連接部１２は固定翼１１に相対して垂直に延びる。連接部１２の上には穿孔１３が設置され、連接部１２の内側面には第一固定板１４、第二固定板１５及び固定柱１６が設置される。第一固定板１４上には凸体１４１が設置され、別に連接部１２の外側面は第一固定板１４の箇所で相互に接続し、傾斜面１２１を設置する。
【００１２】
押圧部品２は、基座１の連接部１２に嵌合し、押圧部品２は連接部１２に相対してスライドし、且つ押圧部品２は抜脱塊２１を備え連接部１２の穿孔１３に相対する。そのうち、押圧部品２の内部一側面の封閉面上に浮凸の掛合部２２を設置し、別の一側の開放面の上、下には対応して嵌合板２３が設置され、押圧部品２を掛合部２２で基座１の第一固定板１４の凸体１４１に掛合停止し、押圧部品２の嵌合板２３で基座１の第二固定板１５を押さえて設置する。
【００１３】
第一弾性部品３は、基座１の連接部１２と押圧部品２との間に納置し、第一弾性部品３の一端を連接部１２の固定柱１６に嵌め込む。
スライドレール４の一端には水平穿孔４１と垂直穿孔４２とを貫設する。
掛合部品５は停止端５１と連接端５２とを備え、掛合部品５はスライドレール４の水平穿孔４１を備えた端に設置する。掛合部品５の停止端５１は常態時、水平穿孔４１に差し込まれており、またスライドレール４の外に突出して伸びる。掛合部品５の連接端５２はスライドレール４の内部に挿入され、連接端５２で第二弾性部品６に連接し、また第二弾性部品６は圧縮バネもしくはバネ片の内のひとつとする。そのうち図２に示すのは、一種の圧縮バネで、図３に示すのは、第二弾性部品６’を一種のバネ片としたものである。
【００１４】
上述実施例による固定装置を引出しとスライドレールとに設置する時、図４及び図５に示すとおり、基座１は固定部品Ａ１１（例としてネジ釘）を固定翼１１に差込み、そして引出しＡの面板Ａ１の内側面に固定し、押圧部品２と第一弾性部品３（図未提示）とを組合せて基座１に組み合わせる。更に掛合部品５はスライドレール４の一端の内部に設置し、第二弾性部品６で掛合部品５を押さえる。
【００１５】
引出しＡとスライドレール４とを組み合わせたい時、引出しＡをスライドレール４の縦方向に沿って押し入れる。図５に示すとおり、基座１の連接部１２は、前端の傾斜面１２１によって掛合部品５の停止端５１を押し開き、停止端５１はスライドレール４に相対して内縮し、掛合部品５は第二弾性部品６を圧縮する。図６に示すとおり、連接部１２が前進して掛合部品５の停止端５１に対応する連接部１２の穿孔１３へ至った時、第二弾性部品６は掛合部品５を押さえ、掛合部品５の停止端５１を連接部１２の穿孔１３へ掛合する。この時、引出しＡの前端はスライドレール４上で固定される。引出しＡの後端とスライドレール４の後端との固定方式は本考案の範囲ではないため、詳述しない。
図７に示すとおり、引出しＡの前端の固定状態を解除したい時、ただ押圧部品２を押せばよく、押圧部品２の抜脱塊２１が掛合部品５の停止端５１を押し、掛合部品５の停止端５１を連接部１２の穿孔１３から抜き出し、この時、引出しＡはスライドレール４から外れる。
【００１６】
（実施例２）
図８及び図９は、本考案の第二実施例による引出しスライドレール固定装置に係る一種の微調整構造であり、引出しＡの上下高度を微調整する設計を提供する。これはスライドレール４に備えた垂直穿孔４２のある先端内部に設有カバー台７を設置し、そのカバー台７は回転ノブ８を連接する。この回転ノブ８は更に突出カバー９を螺設し、その突出カバー９は回転ノブ８によって動き、スライドレール４の垂直穿孔４２に相対して伸縮する。
【００１７】
図１０は、微調整構造に関連する具体的実施例である。カバー台７Ａに相対して組み合わさる第一筐体７１Ａと第二筐体７２Ａとを備え、第一筐体７１Ａと第二筐体７２Ａとの相接面にはそれぞれ第一納置部７１１Ａ、第二納置部７２１Ａ、第一環状頚部７１２Ａ及び第二環状頚部７２２Ａを設置する。第一納置部７１１Ａ及び第二納置部７２１Ａには突出カバー９Ａを納置し、且つ突出カバー９Ａは内ネジ紋９１Ａを備える。回転ノブ８Ａはネジ桿８１Ａを備え、回転ノブ８Ａはネジ桿８１Ａで突出カバー９Ａの内ネジ紋９１Ａに螺設し、突出カバー９Ａは別に外部に欠切口９２Ａを設置する。また第一納置部７１１Ａには相対する細長い凸状物７１３Ａと、第二納置部７２１Ａにも相対する細長い凸状物７２３Ａとを設置し、且つ回転ノブ８Ａは環溝８２Ａを設置し、回転ノブ８Ａは環溝８２Ａを第一環状頚部７１２Ａ及び第二環状頚部７２２Ａに嵌合する。
【００１８】
図１１及び図１２は、微調整構造の調整操作指示図で、図１１に示すとおり、カバー台７Ａ内の突出カバー９Ａがスライドレール４の垂直穿孔４２上方で突出していない時、引出しＡの底面はスライドレール４上に合わさり、回転ノブ８Ａを回転する。図１２に示すとおり、回転ノブ８Ａのネジ桿８１Ａが突出カバー９Ａを上昇させると、突出カバー９Ａは引出しＡの底部を押さえ、引出しＡの前端を上向きに持ち上げる。上向きに持ち上げると、引出しＡの面板（図未提示）を整った高度に微調整する。
【００１９】
（実施例３）
図１３は本考案の第三実施例である。微調整構造は上述の突出カバー９、９Ａを有さず、カバー台７Ｂを一体成型する。カバー台７Ｂ上には垂直方向のネジ孔７１Ｂを設置し、回転ノブ８Ｂはネジ桿８１Ｂを備え、そのネジ桿８１Ｂを直接カバー台７Ｂのネジ孔７１Ｂに差し込む。
【００２０】
（実施例４）
図１４は本考案の第四実施例であり、結合固定装置と微調整構造の実施例である。
固定装置は主に掛合部品５Ｃを第二弾性部品６Ｃに連接し、掛合部品５Ｃは停止端５１Ｃを備える。
また微調整構造はカバー台７Ｃ、回転ノブ８Ｃ及び突出カバー９Ｃを有する。そのうち、カバー台７Ｃは相対して組み合わさる第一筐体７１Ｃと第二筐体７２Ｃとを備え、第一筐体７１Ｃと第二筐体７２Ｃとが相互に接する面には各々第一納置部７１１Ｃ、第二納置部７２１Ｃ、第一環状頚部７１２Ｃ及び第二環状頚部７２２Ｃを設置する。第一納置部７１１Ｃ及び第二納置部７２１Ｃには突出カバー９Ｃを納置し、且つ突出カバー９Ｃは内ネジ紋９１Ｃを備え、回転ノブ８Ｃはネジ桿８１Ｃを備え、回転ノブ８Ｃはネジ桿８１Ｃで突出カバー９Ｃの内ネジ紋９１Ｃに螺設する。突出カバー９Ｃは欠切口９２Ｃを成形し、また第一納置部７１１Ｃは相対して細長い凸状物７１３Ｃを設置し、第二納置部７２１Ｃも相対して細長い凸状物７２３Ｃを設置する。更に回転ノブ８Ｃは環溝８２Ｃを備え、回転ノブ８Ｃの環溝８２Ｃを第一環状頚部７１２Ｃ及び第二環状頚部７２２Ｃに嵌合する。別に第一筐体７１Ｃには第一納置孔７１４Ｃを設置し、第二筐体７２Ｃには第二納置孔７２４Ｃ及び貫通孔７２５Ｃを設置して第二弾性部品６Ｃ及び掛合部品５Ｃを納置し、掛合部品５Ｃの停止端５１Ｃは貫通孔７２５Ｃの外に出る。
【００２１】
この第四実施例の固定装置と微調整構造とをスライドレール４に設置する時、図１５に示すとおり、カバー台７Ｃはスライドレール４の一端内部に入れ、回転ノブ８Ｃはカバー台７Ｃに連接する。更に突出カバー９Ｃはカバー台７Ｃと相互に接して回転ノブ８Ｃに螺接される。突出カバー９Ｃはスライドレール４の垂直穿孔４２に対応して差込み、掛合部品５Ａを第一筐体７１Ｃ及び第二筐体７２Ｃの対接のカバー台７Ｃ内に差し込んで置き、掛合部品５Ａの停止端５１Ａをスライドレール４の水平穿孔４１に差し込む。
【図面の簡単な説明】
【００２２】
【図１】本考案の第一実施例による引出しスライドレール固定装置の基座、押圧部品、及び第一弾性部品を示す分解斜視図である。
【図２】本考案の第一実施例による引出しスライドレール固定装置のスライドレール、掛合部品、第二弾性部品を示す分解斜視図である。
【図３】本考案の第一実施例による引出しスライドレール固定装置いおいて、第二弾性部品にバネ片を採用した状態を示す断面図である。
【図４】本考案の第一実施例による引出しスライドレール固定装置において、引出しとスライドレールとを組み合わせた状態を示す模式図である。
【図５】本考案の第一実施例による引出しスライドレール固定装置において、基座の連接部と掛合部品とを掛合する前の状態を示す模式図である。
【図６】本考案の第一実施例による引出しスライドレール固定装置において、基座の連接部と掛合部品とを掛合完成した状態を示す模式図である。
【図７】本考案の第一実施例による引出しスライドレール固定装置において、押圧部品を押して抜脱塊で掛合部品の停止端を押さえた状態を示す模式図である。
【図８】本考案の第二実施例による引出しスライドレール固定装置の微調整構造を示す模式図である。
【図９】本考案の第二実施例による引出しスライドレール固定装置の微調整構造とスライドレールとの組み合わせた状態を示す模式図である。
【図１０】本考案の第二実施例による引出しスライドレール固定装置の微調整構造の分解斜視図である。
【図１１】本考案の第二実施例による引出しスライドレール固定装置の微調整構造を引出しに実施した状態を示す部分断面図である。
【図１２】本考案の第二実施例による引出しスライドレール固定装置の微調整構造を引出しに実施した状態を示す部分断面図である。
【図１３】本考案の第三実施例による引出しスライドレール固定装置の微調整構造を示す分解斜視図である。
【図１４】本考案の第四実施例による引出しスライドレール固定装置の微調整構造、掛合部品及び第二弾性部品を示す分解斜視図である。
【図１５】本考案の第四実施例による引出しスライドレール固定装置において、微調整構造に掛合部品を結合してスライドレールに組み合わせた状態を示す模式図である。
【符号の説明】
【００２３】
１：基座、１１：固定翼、１１１：固定孔、１２：連接部、１２１：傾斜面、１３：穿孔、１４：第一固定板、１４１：凸体、１５：第二固定板、１６：固定柱、２：押圧部品、２１：抜脱塊、２２：掛合部、２３：嵌合板、３：第一弾性部品、４：スライドレール、４１：水平穿孔、４２：垂直穿孔、５：掛合部品、５Ｃ：掛合部品、５１：停止端、５１Ｃ：停止端、５２：連接端、６：第二弾性部品、６’：第二弾性部品、６Ｃ：第二弾性部品、Ａ：引出し、Ａ１：面板、Ａ１１：固定部品、７：カバー台、７Ａ：カバー台、７Ｂ：カバー台、７Ｃ：カバー台、７１Ａ：第一筐体、７１Ｂ：ネジ孔、７１Ｃ：ネジ孔、７１１Ａ：第一納置部、７１１Ｃ：第一納置部、７１２Ａ：第一環状頚部、７１２Ｃ：第一環状頚部、７１３Ａ：細長い凸状物、７１３Ｃ：細長い凸状物、７１４Ｃ：第一納置孔、７２Ａ：第二筐体、７２Ｃ：第二筐体、７２１Ａ：第二納置部、７２１Ｃ：第二納置部、７２２Ａ：第二環状頚部、７２２Ｃ：第二環状頚部、７２３Ａ：細長い凸状物、７２３Ｃ：細長い凸状物、７２４Ｃ：第二納置孔、７２５Ｃ：貫通孔、８：回転ノブ、８Ａ：回転ノブ、８Ｂ：回転ノブ、８Ｃ：回転ノブ、８１Ａ：ネジ桿、８１Ｂ：ネジ桿、８１Ｃ：ネジ桿、８２Ａ：環溝、８２Ｃ：環溝、９：突出カバー、９Ａ：突出カバー、９Ｃ：突出カバー、９１Ａ：内ネジ紋、９１Ｃ：内ネジ紋、９２Ａ：欠切口、９２Ｃ：欠切口
【図１】
0003134506.tif 000003
【図２】
0003134506.tif 000004
【図３】
0003134506.tif 000005
【図４】
0003134506.tif 000006
【図５】
0003134506.tif 000007
【図６】
0003134506.tif 000008
【図７】
0003134506.tif 000009
【図８】
0003134506.tif 000010
【図９】
0003134506.tif 000011
【図１０】
0003134506.tif 000012
【図１１】
0003134506.tif 000013
【図１２】
0003134506.tif 000014
【図１３】
0003134506.tif 000015
【図１４】
0003134506.tif 000016
【図１５】
0003134506.tif 000017